(57)【要約】【課題】従来の電気接点方式の通信手段を備えた防水非対応の交換レンズを装着する際には非防水カメラとして陸上で使用可能となり、非接触通信方式の通信手段を備えた防水対応の交換レンズを装着する際には防水カメラとして水中および陸上で使用可能なカメラとなる撮像装置を提供すること。【解決手段】接触して信号を送受信可能な接触通信手段と、非接触で信号を送受信可能な非接触通信手段と、非接触通信手段を保護する保護手段と、を有し、保護手段は保護状態と非保護状態を切換え可能であることを特徴とする。【選択図】図１
2017028469.tif 000002
【特許請求の範囲】
【請求項１】
交換レンズを着脱可能な撮像装置において、
前記撮像装置は接触して信号を送受信可能な接触通信手段と、非接触で信号を送受信可能な非接触通信手段と、前記接触通信手段を保護する保護手段と、を有し、前記保護手段は保護状態と非保護状態を切換え可能であることを特徴とする撮像装置。
【請求項２】
前記撮像装置は前記保護手段の保護状態と非保護状態を検出する検出手段を有し、前記保護手段が保護状態であると判定した場合は前記非接触通信手段を使用し、前記保護手段が非保護状態であると判定した場合は前記接触通信手段を使用して前記交換レンズと通信を行うことを特徴とする請求項１に記載の撮像装置。
【請求項３】
前記保護手段は前記接触通信手段への水や海水の接触を防ぐ手段であることを特徴とする請求項１に記載の撮像装置。
【発明の詳細な説明】
【技術分野】
【０００１】
本発明は、レンズ交換式の撮像装置に関し、特に水中でレンズ交換可能な撮像装置に関する。
【背景技術】
【０００２】
レンズ交換式の撮像装置において、水中で撮影およびレンズ交換が可能な水中カメラが提案されている。交換レンズとカメラが通信を行う通信方式が電気接点方式の場合、水中でレンズ交換を行う際に接点が水に濡れてしまい漏電する可能性があるため、無線通信方式を利用して通信を行うことで上記問題を解決した水中カメラが提案されている。
【０００３】
特許文献１では、交換レンズとカメラに非接触で通信可能な信号送受信手段をそれぞれに設け、電気接点そのものを廃止したレンズ交換式の水中カメラを提案している。
【先行技術文献】
【特許文献】
【０００４】
【特許文献１】特開２００６−２５１２２５号公報
【発明の概要】
【発明が解決しようとする課題】
【０００５】
しかしながら、上述の特許文献１に開示された方法では、カメラは非接触通信手段しか備えていないため、従来の電気接点方式の通信手段を備える防水非対応の交換レンズを装着して使用することはできない。
【０００６】
そこで、本発明の目的は、従来の電気接点方式の通信手段を備えた防水非対応の交換レンズを装着する際には非防水カメラとして陸上で使用可能となり、非接触通信方式の通信手段を備えた防水対応の交換レンズを装着する際には防水カメラとして水中および陸上で使用可能な撮像装置を提供することにある。
【課題を解決するための手段】
【０００７】
上記の目的を達成するために、本発明に係る撮像装置は、接触して信号を送受信可能な接触通信手段と、非接触で信号を送受信可能な非接触通信手段と、非接触通信手段を保護する保護手段と、を有し、保護手段は保護状態と非保護状態を切換え可能であることを特徴とする。
【発明の効果】
【０００８】
本発明によれば、従来の電気接点方式の通信手段を備えた防水非対応の交換レンズを装着する際には非防水カメラとして陸上で使用可能となり、非接触通信方式の通信手段を備えた防水対応の交換レンズを装着する際には防水カメラとして水中および陸上で使用可能となる撮像装置を提供することができる。
【図面の簡単な説明】
【０００９】
【図１】防水カメラと防水レンズから成る撮像装置のブロック図
【図２】防水カメラと非防水レンズから成る撮像装置のブロック図
【図３】接触通信手段が非保護状態にある時の防水カメラの正面図
【図４】非接触通信手段を有する防水レンズの背面図
【図５】接触通信手段を有する非防水レンズの背面図
【図６】図３におけるＡ−Ａ断面図
【図７】図４におけるＢ−Ｂ断面図
【図８】接触通信手段が保護状態にある時の防水カメラの正面図
【図９】図８におけるＣ−Ｃ断面図
【図１０】（ア）は防水カメラに防水レンズを装着した時の正面図、（イ）は（ア）におけるＤ−Ｄ断面図
【図１１】（ア）は図１０（イ）におけるＳ部拡大図、（イ）は図１０（イ）におけるＴ部拡大図
【図１２】（ア）は防水カメラに非防水レンズを装着した時の正面図、（イ）は図１２（ア）におけるＥ−Ｅ断面図
【図１３】（ア）は図１２（イ）におけるＵ部拡大図、（イ）は図１２（イ）におけるＶ部拡大図
【図１４】通信方式を選択するフローチャート
【発明を実施するための形態】
【００１０】
以下、本発明を実施するための形態を図面に基づいて説明する。
【００１１】
図１は本発明の実施例における防水カメラ１と防水レンズ８のブロック図、図２は本発明の実施例における防水カメラ１と非防水レンズ１０８のブロック図、図３は防水カメラ１の正面図、図４は防水レンズ８の背面図、図５は非防水レンズ１０８の背面図である。
【００１２】
撮像装置である防水カメラ１はカメラマウント２を備える。交換レンズである防水レンズ８はレンズマウント９を介して、カメラマウント２に着脱可能になっている。また、別の交換レンズである非防水レンズ１０８はレンズマウント１０９を介して、カメラマウント２に着脱可能になっている。
【００１３】
防水カメラ１は非接触通信手段としてのカメラ光通信部４を備える。また、防水レンズ８は非接触通信手段としてのレンズ光通信部１０を備える。カメラ光通信部４は光信号を電気信号に変換する光電変換部５を介して、カメラＣＰＵ３に接続されている。レンズ光通信部１０は光電変換部１１を介して、レンズＣＰＵ１２に接続されている。防水カメラ１と防水レンズ８は、カメラ光通信部４とレンズ光通信部１０を介して、それぞれの動作状態、設定状態、各種情報の要求命令（送信要求）および駆動命令等の情報をやり取りする。さらに、防水レンズ８は、レンズ電源部１３を備えており、レンズ電源部１３は防水レンズ８の動作に必要な電力を防水レンズ８の各機構部（不図示）に供給する。
【００１４】
防水カメラ１は接触通信手段としてのカメラ電気通信部７を備える。また、非防水レンズ１０８は接触通信手段としてのレンズ電気通信部１１０を備える。カメラ電気通信部７は複数の導電性のピン１４が扇状に配列されており、ピン１４はカメラＣＰＵ３に接続されている。レンズ電気通信部１１０はレンズＣＰＵ１１２に接続されている。防水カメラ１と非防水レンズ１０８は、カメラ電気通信部７とレンズ電気通信部１１０を介して、それぞれの動作状態、設定状態、各種情報の要求命令（送信要求）および駆動命令等の情報をやり取りする。さらに、非防水レンズ１０８は、カメラ電気通信部７とレンズ電気通信部１１０を介して、防水カメラ１に備えられたカメラ電源部６から非防水レンズ１０８の動作に必要な各機構部への電力の供給を受ける。
【００１５】
防水カメラ１はカメラ電気通信部７の保護手段としての保護部１６を備えており、保護部位置検出部２５によって保護部１６の位置を検出することが可能である。保護部１６の動作については後述する。
【００１６】
図６は防水カメラ１の図３におけるＡ−Ａ断面図であり、図７は防水レンズ８の図４におけるＢ−Ｂ断面図である。
【００１７】
防水カメラ１は平面ガラス１８を備えており、図６に示すように平面ガラス１８はレンズからの光を通すためのカメラ開口部１９にはめ込まれている。この平面ガラス１８によって、カメラ内部２０への水や海水の浸入を防止している。
【００１８】
また、防水レンズ３は平面ガラス２１を備えており、図７に示すように平面ガラス２１はカメラへ被写体の光を通すためのレンズ開口部２２にはめ込まれている。この平面ガラス２１によって、レンズ内部２３への水や海水の浸入を防止している。
【００１９】
なお、防水カメラ１、および、防水レンズ８において、水や海水が浸入してくる可能性があるその他の箇所にもＯリングなどの公知の技術によって、防水カメラ１、防水レンズ８それぞれ単独で水密性が保たれるように防水処理が施されている。
【００２０】
次に電気接点を保護するための保護部１６の動作について説明する。
【００２１】
図８は防水カメラ１に防水レンズ８を装着して使用する時、すなわち、接触通信手段が保護状態にある時の防水カメラ１の正面図、図９は図８のＣ−Ｃ断面図である。また、図３は防水カメラ１に非防水レンズ１０８を装着して使用する時、すなわち、接触通信手段が非保護状態にある時の防水カメラ１の正面図、図６は図３のＡ−Ａ断面図である。
【００２２】
図３および図８に示すように、防水カメラ１は電気接点の保護手段としての保護部１６を備え、保護部１６はガイド溝１７に沿って、図３、および、図８の矢印Ｒ方向にスライド可能になっている。 防水カメラ１に防水レンズ８を装着する時、カメラ操作者は保護部１６を図８の位置、すなわち、カメラ電気通信部７と保護部１６が対向する位置（図９参照）に保護部１６を移動させる。これにより、水中で使用中にカメラ電気通信部７は水に濡れることが無くなり、漏電の発生を回避できる。
【００２３】
また、防水カメラ１に非防水レンズ１０８を装着する時、カメラ操作者は保護部１６を図３の位置に移動させる。これにより、カメラ電気通信７が露出し、非防水レンズ１０８のレンズ電気通信部１１０と接触して、通信を行うことができる。
【００２４】
次に、本発明の防水カメラに防水レンズと非防水レンズを装着した際の通信部の構造について説明する。
図１０（ア）は防水レンズ８を防水カメラ１に装着した時の正面図であり、図１０（イ）は図１０（ア）のＤ−Ｄ断面図である。図１１（ア）は図１０（イ）のＳ部拡大図であり、図１１（イ）は図１０（イ）のＴ部拡大図である。図１２（ア）は非防水レンズ１０８を防水カメラ１に装着した時の正面図であり、図１２（イ）は図１２（ア）のＥ−Ｅ断面図である。図１３（ア）は図１２（イ）のＵ部拡大図であり、図１３（イ）は図１２（イ）のＶ部拡大図である。
【００２５】
図１１（ア）に示すように、防水カメラ１に防水レンズ８を装着すると、カメラ光通信部４とレンズ光通信部１０が対向する位置に配置され、防水カメラ１と防水レンズ８の光信号を用いた通信が可能となる。また、上述したユーザー操作により、図１１（イ）に示すように、カメラ電気通信部７は保護部１６によって保護される。防水レンズ８には凹部２４が形成されており、防水レンズ８を防水カメラ１に装着した時に保護部１６が接触しないようになっている。
【００２６】
また、図１３（イ）に示すように防水カメラ１に非防水レンズ１０８を装着すると、カメラ電気通信部７とレンズ電気通信部１１０が対向する位置に配置され、電気的に接続される。これにより、電気的な通信が可能となる。
【００２７】
次に図１４を用いて防水カメラ１の通信方式を選択する処理について説明する。
【００２８】
まず、レンズを装着してカメラの電源をＯＮされると（Ｓ１）、防水カメラ１は保護部１６の位置を検出するための保護部位置検出部２５により、保護部１６の位置を検出する（Ｓ２）。次に保護部１６が保護位置（図８の位置）にあるかどうかを判定する（Ｓ３）。保護位置にあると判定した場合、カメラ光通信部４とレンズ光通信部１０において光通信を開始する（Ｓ４）。保護部が保護位置ではない位置、すなわち非保護位置（図３の位置）にあると判定した場合は、カメラ電気通信部７とレンズ電気通信部１１０において電気通信を開始する（Ｓ５）。
【００２９】
以上説明したように、防水レンズを装着する場合は光通信を使用し、さらに電気通信部が水や海水に浸からない構造であるため、電気通信部の漏電や接点部への浸水を防ぐことができる。したがって、水中でのレンズ交換および撮影が可能となる。
【００３０】
また、従来の電気接点を搭載しているため、既に発売済みの非防水レンズを陸上で使用し撮影可能となる。
【符号の説明】
【００３１】
１  防水カメラ、２  カメラマウント、３  カメラＣＰＵ、４  カメラ光通信部、
５，１１  光電変換部、６  カメラ電源部、７  カメラ電気通信部、８  防水レンズ、
９  レンズマウント、１０  レンズ光通信部、１２  レンズＣＰＵ、
１３  レンズ電源部、１４  ピン、１６  保護部、１７  ガイド溝、
１８  ，２１  平面ガラス、１９  カメラ開口部、２０  カメラ内部、
２２  レンズ開口部、２３  レンズ内部、２４  凹部、２５  保護部位置検出部
【図１】
2017028469.tif 000003
【図２】
2017028469.tif 000004
【図３】
2017028469.tif 000005
【図４】
2017028469.tif 000006
【図５】
2017028469.tif 000007
【図６】
2017028469.tif 000008
【図７】
2017028469.tif 000009
【図８】
2017028469.tif 000010
【図９】
2017028469.tif 000011
【図１０】
2017028469.tif 000012
【図１１】
2017028469.tif 000013
【図１２】
2017028469.tif 000014
【図１３】
2017028469.tif 000015
【図１４】
2017028469.tif 000016